(57)【要約】【課題】搬送面の上方を開放可能とすることによりメンテナンス作業を容易にすると共に、装置の上部のオープンスペースを狭くできるようにする。【解決手段】搬送面７の下側に配設され、搬送面７に沿って搬送ベルト１２を設けてカードを搬送可能にした本体部２と、搬送面７の上側に配設され、弾性ローラとカードを磁気ヘッドに圧接する押圧ローラとを設け、搬送面７の幅方向の一側方に該搬送面７に対して垂直に設けた案内部２２に沿って上下動可能とされ、案内部２２の上端部で搬送面７の幅方向の一方側に回動して搬送面７上方を開放可能とした上部ユニット４と、案内部２２の下端部で上部ユニット４を本体部２にロックするロック手段８と、を備える構成とした。【選択図】図５
2007233897.tif 000002
【特許請求の範囲】
【請求項１】
カードの搬送面に沿って搬送されるカードを磁気ヘッドに圧接し、前記カードに対してデータの読取り又は書込み処理を行なうと共に、カードを搬送する搬送ベルトの対向位置にカードとの接触面に弾性部材を有した弾性ローラを前記搬送ベルトと同期して回転可能に備えたカード処理装置であって、
前記搬送面の下側に配設され、前記搬送面に沿って前記搬送ベルトを設けて前記カードを搬送可能にした本体部と、
前記搬送面の上側に配設され、前記弾性ローラと前記カードを前記磁気ヘッドに圧接する押圧ローラとを設け、前記搬送面の幅方向の一側方に該搬送面に対して垂直に設けた案内部に沿って上下動可能とされ、前記案内部の上端部で前記搬送面の幅方向の一方側に回動して搬送面上方を開放可能とした上部ユニットと、
前記案内部の下端部で前記上部ユニットを前記本体部にロックするロック手段と、
を備える構成としたことを特徴とするカード処理装置。
【請求項２】
前記ロック手段は、前記上部ユニットにスライド可能に設けたロック部材と、前記本体部側に設けたロック用ピンとを備え、前記ロック部材に形成した係止部の前記ロック用ピンに対する係止及び係止解除操作により前記本体部に上部ユニットをロック及びロック解除する構成としたことを特徴とする請求項１に記載のカード処理装置。
【請求項３】
前記ロック部材は、前記上部ユニットの上面に搬送面に沿って一対設けられ、前記カードの搬送方向にスライドする基部と、該基部から前記搬送面に平行な面内にてカードの搬送方向と直交する方向に延び、前記上部ユニットの側面に沿って折れ曲がった係止片とからなり、該係止片の先端部に前記係止部を設けたことを特徴とする請求項２に記載のカード処理装置。
【請求項４】
前記ロック部材の基部の上面には、スライド操作する操作部を突設したことを特徴とする請求項３に記載のカード処理装置。
【請求項５】
前記ロック部材は、ばね部材により前記係止部が前記ロック用ピンに係止する方向に弾性付勢されていることを特徴とする請求項２〜４のいずれか一つに記載のカード処理装置。
【請求項６】
前記搬送面の幅方向の一方側にて前記案内部の側方には、前記カードに対するデータの読取り又は書込み処理を行なう処理回路を設けた回路基板を垂設したことを特徴とする請求項１〜５のいずれか一つに記載のカード処理装置。
【発明の詳細な説明】
【技術分野】
【０００１】
本発明は、カードの搬送面に沿って搬送されるカードを磁気ヘッドに圧接し、カードに対してデータの読取り又は書込み処理を行なうカード処理装置に関し、特に、搬送面の上方を開放可能とすることによりメンテナンス作業を容易にすると共に、装置の上部のオープンスペースを狭くできるカード処理装置に関する。
【背景技術】
【０００２】
従来のカード処理装置は、図８に示すように複数の押圧ローラ１を備えた本体部２と複数の搬送ローラ３を備えた上部ユニット４とによって構成され、該上部ユニット４が本体部２の長手方向の一端部に設けたヒンジ５を中心として本体部２に対して回動可能に結合されおり、上部ユニット４が本体部２を覆って閉じた状態において、本体部２と上部ユニット４との間にカード６を搬送する搬送面７が形成されるようになっていた（例えば、特許文献１参照）。
【特許文献１】特開２００３−２９６６６４号公報（図１）
【発明の開示】
【発明が解決しようとする課題】
【０００３】
しかし、このような従来のカード処理装置においては、上部ユニット４が本体部２の長手方向の一端部に設けたヒンジ５を中心に回動するようになっているので、搬送面７全体を開くためには図８に示す上部ユニット４の回動半径Ｒが長くなり、装置の上部に広いオープンスペースを確保しなければならなかった。
【０００４】
そこで、本発明は上記問題点に着目してなされたもので、搬送面の上方を開放可能とすることによりメンテナンス作業を容易にすると共に、装置の上部のオープンスペースを狭くできるカード処理装置を提供することを目的とする。
【課題を解決するための手段】
【０００５】
このために、請求項１の発明は、カードの搬送面に沿って搬送されるカードを磁気ヘッドに圧接し、前記カードに対してデータの読取り又は書込み処理を行なうと共に、カードを搬送する搬送ベルトの対向位置にカードとの接触面に弾性部材を有した弾性ローラを前記搬送ベルトと同期して回転可能に備えたカード処理装置であって、前記搬送面の下側に配設され、前記搬送面に沿って前記搬送ベルトを設けて前記カードを搬送可能にした本体部と、前記搬送面の上側に配設され、前記弾性ローラと前記カードを前記磁気ヘッドに圧接する押圧ローラとを設け、前記搬送面の幅方向の一側方に該搬送面に対して垂直に設けた案内部に沿って上下動可能とされ、前記案内部の上端部で前記搬送面の幅方向の一方側に回動して搬送面上方を開放可能とした上部ユニットと、前記案内部の下端部で前記上部ユニットを前記本体部にロックするロック手段と、を備える構成とした。
【０００６】
このような構成により、本体部上に装着されてロック手段でロックされた上部ユニットのロックを解除し、その後、搬送面の幅方向の一側方に該搬送面に対して垂直に設けた案内部で案内して上部ユニットを上方に移動し、案内部の上端部で上部ユニットを搬送面の幅方向の一方側に回動して搬送面上方を開放する。
【０００７】
請求項２の構成においては、前記ロック手段は、前記上部ユニットにスライド可能に設けたロック部材と、前記本体部側に設けたロック用ピンとを備え、前記ロック部材に形成した係止部の前記ロック用ピンに対する係止及び係止解除操作により前記本体部に上部ユニットをロック及びロック解除する構成とした。この場合、前記ロック部材は、請求項３のように、前記上部ユニットの上面に搬送面に沿って一対設けられ、前記カードの搬送方向にスライドする基部と、該基部から前記搬送面に平行な面内にてカードの搬送方向と直交する方向に延び、前記上部ユニットの側面に沿って折れ曲がった係止片とからなり、該係止片の先端部に前記係止部を設けるとよい。この場合、前記ロック部材の基部の上面には、請求項４のように、スライド操作する操作部を突設するとよい。また、前記ロック部材は、請求項５のように、ばね部材により前記係止部が前記ロック用ピンに係止する方向に弾性付勢されてもよい。
【０００８】
そして、請求項６の構成の場合においては、前記搬送面の幅方向の一方側にて前記案内部の側方には、前記カードに対するデータの読取り又は書込み処理を行なう処理回路を設けた回路基板を垂設した。
【発明の効果】
【０００９】
本発明のカード処理装置によれば、搬送面の上方を開放することができるので、搬送面の点検又は清掃等のメンテナンス作業や、詰ったカードの除去等のトラブル処理を容易にすることができる。この場合、上部ユニットを搬送面の幅方向の一方側に回動して搬送面を開くようになっているので、上部ユニットの回動半径が小さくなり、装置の上部のオープンスペースを狭くすることができ、装置を小型化することができる。
【００１０】
また、搬送面を開く際、上部ユニットを一旦上方に移動し、その後、搬送面の幅方向の一方側に回動するようにしているので、搬送面の幅を規制する背丈の高い側壁が設けられている場合には、弾性ローラや押圧ローラを備えて厚みが厚く形成された上部ユニットと上記側壁の干渉を回避することができる。又は、本体部側の搬送ベルトの駆動力を上部ユニット側の弾性ローラに伝達するギヤを配設した側に上部ユニットを回動する場合には、本体部及び上部ユニットのそれぞれに設けた上記ギヤ同士の干渉を回避することができる。したがって、上部ユニットの回動方向はギヤの配設位置に影響されず、ギヤ側又はその反対側のいずれの側にも回動可能であり、装置の設計自由度が増す。
【発明を実施するための最良の形態】
【００１１】
以下、本発明の実施の形態を添付図面に基づいて詳細に説明する。なお、図８と同一の要素については、同一符号を用いて示す。
図１に本発明に係るカード処理装置の実施形態の正面断面図を示し、図２に図１のＸ−Ｘ線断面図を示す。
図１において、本実施形態のカード処理装置は、カードの搬送面に沿って搬送されるカードを磁気ヘッドに圧接し、厚みの異なる複数種類のカードに対してデータの読取り又は書込み処理を行なうものであり、本体部２と、上部ユニット４と、ロック手段８とを備えて構成する。
【００１２】
上記本体部２は、搬送面７の下側に配設されて搬送面７に沿って搬送されるカードの下面を搬送可能に支持するものであり、搬送面７の幅方向の両側にその幅を規制する二つの側壁９Ａ，９Ｂを備え、該両側壁９Ａ，９Ｂを搬送面７の上方まで延ばして所定の高さに形成している（図５参照）。そして、上記搬送面７に面して例えば二つの搬送ローラ３Ａ，３Ｂと、一つの従動ローラ１０と、第１の磁気ヘッド１１とを図２に矢印Ａ，Ｂで示すカードの搬送方向に配列し、搬送面７の幅方向の一方側にタイミングベルトからなる搬送用ベルト１２を設けている。
【００１３】
上記搬送ローラ３Ａは、自ら回転駆動してカードを搬送するものであり、図示省略の軸受け部に回転可能に支持された回転軸１３Ａに固着されて図２に矢印Ｂで示す搬送方向上流側に配設されている。また、上記回転軸１３Ａは、その一端部にプーリ（タイミングプーリ）１４Ａを固着しており、該プーリ１４Ａを上記搬送面７の幅方向の一方側に配設された搬送ベルト１２の歯に噛み合わせて回転するようになっている。
【００１４】
また、上記搬送ローラ３Ｂは、自ら回転駆動してカードを搬送するものであり、図示省略の軸受け部に回転可能に支持された回転軸１３Ｂに固着されて図２に矢印Ａで示す搬送方向下流側に配設されている。また、上記回転軸１３Ｂは、その一端部を本体部２の他方の側壁９Ｂを貫通して外方に突出させ、その先端部にプーリ１４Ｂを設けている。そして、上記プーリ１４Ｂと上記搬送面７の下方に配設された例えばステッピングモータ等のＤＣモータ１５の回転軸１５ａとの間にベルト１６を巻架してＤＣモータ１５の回転力が搬送ローラ３Ｂに伝達されるようになっている。また、上記回転軸１３Ｂの他端部には、プーリ（タイミングプーリ）１４Ｃを固着しており、上記搬送ベルト１２の歯に噛み合って回転するようになっている。これにより、ＤＣモータ１５の回転力が搬送ローラ３Ｂの回転軸１３Ｂ及び搬送用ベルト１２を介して搬送ローラ３Ａに伝達される。
【００１５】
上記二つの搬送ローラ３Ａ，３Ｂの間には、第１の磁気ヘッド１１が配設されている。この第１の磁気ヘッド１１は、複数種類のカードに記録されたデータの読取り処理又はカードにデータを書込み処理するためのものであり、データの読取り又は書きこみ処理をそれぞれ行う各読取書込部１７ａ，１７ｂ，１７ｃ，１７ｄを、各カードの磁気トラック位置に対応して搬送方向に直交する方向の略同一軸上に一体的に配列している。
【００１６】
上記読取書込部１７ａ，１７ｂは、図３に示すようにカード裏面（下面）の略中央部に設けられた二本の磁気トラック１８ａ，１８ｂに対してデータの読取り又は書込み処理をするものであり、例えば駐車カード（磁気カード）６Ａのデータ処理用として設けたものである。また、上記読取書込部１７ｃ，１７ｄは、図４（ａ）に示すようにカード裏面の一端部近傍部に設けられた二本の磁気トラック１８ｃ，１８ｄに対してデータの読取り処理をするものであり、例えばクレジットカード６Ｂのデータ処理用として設けたものである。なお、この場合、上記二本の磁気トラック１８ｃ，１８ｄには、ＩＳ０−IとＩＳＯ−IIの磁気トラックが対応する。
【００１７】
上記第１の磁気ヘッド１１と搬送ローラ３Ｂとの間にて搬送面７の幅方向の他方側には、従動ローラ１０が設けられている。この従動ローラ１０は、搬送面７を搬送されるカードの移動に従動して回転するものであり、その支持軸１９に対して回転自由に支持されている。また、上記支持軸１９は、図示省略の軸受け部によって回転可能に支持されており、搬送面７の幅方向の一方側にて搬送用ベルト１２に対応した部位に該搬送用ベルト１２に噛み合って回転するプーリ（タイミングプーリ）１４Ｄを固着している。これにより、上記ＤＣモータ１５の回転力が搬送用ベルト１２を介して上記支持軸１９に伝達されるようになっている。さらに、上記支持軸１９は、一端部を上記本体部２の一方の側壁９Ａを貫通して外方に突出させ、その端部にギヤ２０Ａを設けて、該ギヤ２０Ａを介して上部ユニット４に設けられた後述の第１及び第２の弾性ローラ２１Ａ，２１Ｂに回転力を伝達するようになっている。
【００１８】
上記搬送面７の上側には、上部ユニット４が配設されている。この上部ユニット４は、搬送面７に沿って搬送されるカードの上面を搬送可能に支持するものであり、搬送面７の幅方向の一側部に該搬送面７に対して垂直に設けた案内部２２に沿って両側壁９Ａ，９Ｂ間を上下動可能とされ、その上端部で上記搬送面７の幅方向の一方側に回動して搬送面７の上方を開放可能とするようになっている。
【００１９】
具体的には、上部ユニット４は、図５に示すように本体部２の一方の側壁９Ａ側に支持部２３を設けており、該支持部２３が図１に示すように上記搬送面７の幅を規制する一方の側壁９Ａに搬送方向に離間して設けた一対の案内部２２にそれぞれ形成された上下方向に延びる図５に示す案内溝２４に上下方向にスライド可能に嵌合され、案内溝２４の上端部で上記支持部２３を中心に回動するように構成している。
【００２０】
また、上部ユニット４には、図１に示すように、上記搬送面７に面して例えば三つの押圧ローラ１Ａ，１Ｂ，１Ｃと、第２の磁気ヘッド２５と、図６に示すように第１及び第２の弾性ローラ２１Ａ，２１Ｂとを図２に矢印Ａ，Ｂで示すカードの搬送方向に配列して厚みが厚く形成されている。
【００２１】
ここで、図１に示すように、上記上部ユニット４が案内部２２の下端部に位置付けられた状態において、上記本体部２の二つの搬送ローラ３Ａ，３Ｂと対向する位置には、それぞれ押圧ローラ１Ａ，１Ｂが配設されている。この押圧ローラ１Ａ，１Ｂは、搬送面７を搬送されるカードの上面を押圧して搬送ローラ３Ａ，３Ｂによるカードの搬送が安定して行なわれるようにするものであり、図示省略の軸受け部に回転可能に支持された回転軸１３Ｃ，１３Ｄが例えば図示省略の固定部に一端部を固定した押圧ばね２６Ａによって押圧されて搬送面７側に付勢されている。
【００２２】
また、上記上部ユニット４が案内部２２の下端部に位置付けられた状態において、本体部２の第１の磁気ヘッド１１に対応する位置には、図示省略の軸受け部に回転可能に支持された回転軸１３Ｅに固着されて押圧ローラ１Ｃが配設されている。この押圧ローラ１Ｃは、搬送面７を搬送されるカードの上面を押圧してカードを第１の磁気ヘッド１１面に圧接し、第１の磁気ヘッド１１によるデータの読取り及び書込み処理が適切に行なわれるようにするものであり、例えば押圧ばね２６Ｂによって搬送面７側に付勢されている。
【００２３】
さらに、上記上部ユニット４が案内部２２の下端部に位置付けられた状態において、本体部２の従動ローラ１０に対向する位置には、第２の磁気ヘッド２５が設けられている。この第２の磁気ヘッド２５は、図４（ｂ）に示すクレジットカード６Ｂの表面（上面）に設けられたＪＩＳ−IIトラック１８ｅに相当する部分にデータの書込み及び読取りを可能とするもので、例えば読取り及び書込み兼用の磁気トラック１７ｅ（図６（ａ）参照）を備えたコンビネーションヘッドであり、押圧ばね２６Ｃによって搬送面７側に付勢され従動ローラ１０に圧接している。これにより、例えば駐車場のサービス券に駐車場のコードや有効期限等のデータを記録して発券したり、使用済みのサービス券に例えば連続した“１”の数字を記録して廃券処理をすることができようになっている。
【００２４】
また、上記上部ユニット４が案内部２２の下端部に位置付けられた状態において、図６（ａ）に示すように、上記第１の磁気ヘッド１１の配設位置にて搬送用ベルト１２に対向する位置には、図示省略の軸受け部に回転可能に支持された回転軸１３Ｆに固着されて第１の弾性ローラ２１Ａが設けられている。この第１の弾性ローラ２１Ａは、厚みの異なるカードが第１の磁気ヘッド１１部分を安定走行できるようにするものであり、カードの接触面に弾性力を有し摩擦係数の高い弾性部材２７、例えば発泡ウレタンを設けて押圧ばね２６Ｄによって搬送用ベルト１２側に付勢されている。これにより、各種カードの厚みの変化や、図４（ｂ）に示すクレジットカード６Ｂの表面に設けられたエンボス部３４の凹凸を弾性部材２７で吸収し、厚みの異なる又は表面にエンボス部３４を有する各種カードの搬送を安定且つ容易にしている。
【００２５】
さらに、上記上部ユニット４が案内部２２の下端部に位置付けられた状態において、図６（ａ）に示すように、第２の磁気ヘッド２５の配設位置にて上記搬送用ベルト１２に対向する位置には、図示省略の軸受け部に回転可能に支持された回転軸１３Ｇに固着されて第２の弾性ローラ２１Ｂが設けられている。この第２の弾性ローラ２１Ｂは、厚みの異なるカードが第２の磁気ヘッド２５部分を安定走行できるようにするものであり、カードの接触面に弾性力を有し摩擦係数の高い弾性部材２７、例えば発泡ウレタンを設けて押圧ばね２６Ｄによって搬送用ベルト１２側に付勢されている。これにより、各種カードの厚みの変化や、図４（ｂ）に示すクレジットカード６Ｂの表面に設けられたエンボス部３４の凹凸を弾性部材２７で吸収し、厚みの異なる又は表面にエンボス部３４を有する各種カードの搬送を安定且つ容易にしている。
【００２６】
そして、図６（ｂ）に示すように、上記第１及び第２の弾性ローラ２１Ａ，２１Ｂは、各回転軸１３Ｆ，１３Ｇがベルト２８で連結されて、互いに同期して駆動するようになっている。さらに、同図（ａ）に示すように、第２の弾性ローラ２１Ｂの回転軸１３Ｆの一端部にはギヤ２０Ｂを固着して本体部２側に設けられ従動ローラ１０の支持軸１９に固着されたギヤ２０Ａと噛み合い可能となっており、例えばステッピングモータ等のＤＣモータ１５の回転力が搬送用ベルト１２、タイミングプーリ１４Ｄ及び二つのギヤ２０Ａ，２０Ｂを介して上記第２の弾性ローラ２１Ｂに、さらにベルト２８を介して第１の弾性ローラ２１Ａに伝達されるようになっている。これにより、上記第１及び第２の弾性ローラ２１Ａ，２１Ｂは、搬送用ベルト１２と同期して回転し、カードを搬送用ベルト１２との間に挟んで第１及び第２の磁気ヘッド１１，２５部分を安定して搬送することができる。従って、厚みの異なる複数種類のカードに対しても第１及び第２の磁気ヘッド１１，２５によるデータの読取り及び書込み性能を向上することができる。なお、上記第１及び第２の弾性ローラ２１Ａ，２１Ｂの駆動は、ベルト２８を介して行なうものに限られず、それぞれギヤを介して搬送用ベルト１２から回転力を得て駆動するようにしてもよい。
【００２７】
上記上部ユニット４と本体部２とには、図５に示すようにロック手段８が設けられている。このロック手段８は、本体部２に設けた案内部２２の下端部で上部ユニット４を本体部２にロックするものであり、上部ユニット４の上面にスライド可能に設けたロック部材２９と、本体部２の他方の側壁９Ｂの外側面に設けたロック用ピン３０とを備え、ロック部材２９に形成した係止部３１のロック用ピン３０に対する係止及び係止解除操作により本体部２に上部ユニット４をロック及びロック解除する構成としている。
【００２８】
上記ロック部材２９は、図７に示すように、上記上部ユニット４の上面に搬送面７に沿って一対設けられ、カードの搬送方向にスライドする基部３２と、図５に示すように基部３２から搬送面７に平行な面内にて搬送方向と直交する方向に延びて途中で上部ユニット４の側面に沿って折れ曲がった係止片３３とからなり、該係止片３３の先端部に上記係止部３１を設けた構造となっている。そして、図１に示すように、上記上部ユニット４の天板３５の裏側に弾性変形するばね部材としての蜜巻きばね３６を設けて一端部を上部ユニット４に固定し、他端部を上記基部３２に設けた突部材３７に固定して、上記蜜巻きばね３６により係止部３１がロック用ピン３０に係止する方向に弾性付勢されている。さらに、上記ロック部材２９の基部３２の上面には、スライド操作する操作部３８を突設しており、ロック部材２９の操作が容易な構造となっている。
【００２９】
そして、上記本体部２の一方の側壁９Ａの側方には、図２に示すように、ＤＣモータ１５の駆動制御を行なう制御回路、及び第１及び第２の磁気ヘッド１１，２５によるカードのデータの読取り及び書込み処理を行なう処理回路等を設けた回路基板３９を配設している。
【００３０】
なお、図１及び図２において、符号４０Ａ，４０Ｂは、アイドルプーリであり、搬送用ベルト１２のたわみを防止するものである。また、符号４１は、ホッパーであり、未使用の例えば駐車場サービス券を積み重ねて収容しており、サービス券を発券する際に搬送面７に供給するようになっている。
【００３１】
次に、本発明のカード処理装置における搬送面７の上方を開放する操作について図５及び図７を参照して説明する。
先ず、図５（ａ）に示すように、上部ユニット４が案内部２２の下端部に位置付けられ、図７に示すように、ロック部材２９の係止片３３の先端部に設けた係止部３１が本体部２の他方の側壁９Ｂの外側面に設けたロック用ピン３０に係止して上部ユニット４が本体部２に固定されている場合に、図７に示す矢印Ｃ方向にロック部材２９をスライドして上記係止部３１のロック用ピン３０に対する係止を解除する。
【００３２】
次に、図５（ｂ）又は図７に示すように、上部ユニット４を矢印Ｄ方向に持ち上げる。このとき、上部ユニット４の支持部２３が本体部２の一方の側壁９Ａに設けた案内部２２の案内溝２４に案内されて移動し、上部ユニット４が上昇する。
【００３３】
そして、図５（ｃ）に示すように、上記案内部２２の上端において上部ユニット４の支持部２３を中心に矢印Ｅで示す一方の側壁９Ａの搬送面７側とは反対側に回動する。これにより、搬送面７の上方が開放され、搬送面７の点検や清掃又は搬送面７に詰まったカードを除去することができる。
また、上記搬送面を閉じる場合には、上述の操作とは反対の操作を行なう。
【００３４】
このように構成したので、上記実施形態においては、搬送面７の上方を開放する際、上部ユニット４を搬送面７の幅方向の一方側に回動するようにしているので、図５に示すように、上部ユニット４の回動半径ｒは、搬送面７の幅方向に沿った上部ユニット４の幅寸法に略一致して、回動半径Ｒが上部ユニットの搬送方向に沿った長さ寸法に略等しい従来技術の場合よりも小さくなる。したがって、装置の上部のオープンスペースを狭くすることができる。
【００３５】
また、上記実施形態においては、搬送面７の上方を開放する際、押圧ローラ１Ａ〜１Ｃ、弾性ローラ２１Ａ，２１Ｂ及び第２の磁気ヘッド２５等を備えて厚みが厚く形成された上部ユニット４と搬送面７の幅を規制する背丈の高い側壁９Ａ，９Ｂとの干渉を回避することができる。さらに、上記実施形態のように、本体部２に設けた搬送ベルト１２の駆動力を上部ユニット４に設けた弾性ローラ２１Ａ，２１Ｂに伝達するギヤ２０Ａ，２０Ｂを配設した側に上部ユニット４を回動する場合であっても、上記ギヤ２０Ａ，２０Ｂ同士の干渉を回避することができる。
【００３６】
なお、上部ユニット４の回動方向は、ギヤ２０Ａ，２０Ｂを配設した側に限られず、その反対側であってもよい。
【００３７】
また、本発明のカード処理装置は、厚みの異なる各種カードを第１及び第２の磁気ヘッド１１，２５部分を安定して搬送し、データの読取り又は書込み処理を安定して行なおうとするものである。そこで、以下に、本発明のカード処理装置におけるカードの安定搬送動作について説明する。
【００３８】
上記第１の磁気ヘッド１１に対向して上部ユニット４に配設された図１に示す押圧ローラ１Ｃには、厚みの薄いカードも第１の磁気ヘッド１１との良好な密着性が得られるように押圧ばね２６Ｂによって他の押圧ローラ１Ａ，１Ｂよりも強い押圧力が付与されている。この押圧ローラ１Ｃは、自ら回転するものではなく、第１の磁気ヘッド１１部分を通過するカードの搬送力によって回転するものである。従って、カードが第１の磁気ヘッド１１と押圧ローラ１Ｃとの間に差し込まれるまでは、押圧ローラ１Ｃは負荷となりカードの搬送の妨げとなる。特に、厚みの厚いカードに対しては、より大きな負荷となる。それ故、このままでは、厚みの異なる各種カードは、第１の磁気ヘッド１１部分を安定して走行することができない。
【００３９】
しかしながら、本発明のカード処理装置は、図６に示すように、第１の磁気ヘッド１１の配設位置にて搬送ベルト１２に対応した上部ユニット４の位置に、カードとの接触面に弾性部材２７を設け、二つのギヤ２０Ａ，２０Ｂ、第２の弾性ローラ２１Ｂ及びベルト２８を介して搬送ベルト１２から駆動力を得て搬送ベルト１２と同期して駆動する第１の弾性ローラ２１Ａを配設し、押圧ばね２６Ｄの押圧力によって押圧して搬送用ベルト１２に密接させている。
【００４０】
従って、カードの搬送力が高まり、カードは第１の弾性ローラ２１Ａと搬送用ベルト１２に挟まれて第１の磁気ヘッド１１部分を強制的に搬送される。特に、第１の弾性ローラ２１Ａの弾性部材２７が弾性変形してカードの厚みの変化を吸収するため、厚みの異なる各種カードやクレジットカード６Ｂのエンボス部３４（図４（ｂ）参照）を安定して搬送することが可能となる。これにより、第１の磁気ヘッド１１の磁気トラック１７ａ，１７ｂで例えば厚みの薄い駐車カード裏面の磁気トラック１８ａ，１８ｂに対するデータの読取り及び書込み処理、又は磁気トラック１７ｃ，１７ｄで例えば厚みの厚いクレジットカード裏面のＩＳＯ−I及びＩＳＯ−IIの磁気トラック１８ｃ，１８ｄに対するデータの読取り処理を安定して行なうことができる。
【００４１】
なお、搬送用ベルト１２の駆動力は、ＤＣモータ１５とベルト１６で連結された搬送ローラ３Ｂ及び該搬送ローラ３Ｂの回転軸１３Ｂの一端部に取り付けられたプーリ１４Ｃを介してＤＣモータ１５から得られる。
【００４２】
第１の磁気ヘッド１１部分を通過したカードは、第２の磁気ヘッド２５部分に達する。ここで、第２の磁気ヘッド２５は、図１に示すように、押圧ばね２６Ｃにより搬送面７側に付勢されて本体部２に設けた従動ローラ１０に密接されている。従って、上述と同様ように、第２の磁気ヘッド２５と従動ローラ１０とがカードを搬送する際の負荷となる。
【００４３】
しかし、図６に示すように、第２の磁気ヘッド２５の配設位置にて搬送ベルト１２に対応した上部ユニット４の位置に、カードとの接触面に弾性部材２７を設け、二つのギヤ２０Ａ，２０Ｂを介して搬送ベルト１２から駆動力を得て搬送ベルト１２と同期して駆動する第２の弾性ローラ２１Ｂを配設し、押圧ばね２６Ｄの押圧力によって押圧して搬送用ベルト１２に密接させている。従って、カードの搬送力が高まり、カードは第２の弾性ローラ２１Ｂと搬送用ベルト１２とに挟まれて第２の磁気ヘッド２５部分を強制的に搬送される。この場合も、第２の弾性ローラ２１Ｂの弾性部材２７が弾性変形してカードの厚みの変化を吸収するため、厚みの異なる各種カードを安定して搬送することが可能となる。
【００４４】
従って、第２の磁気ヘッド２５の磁気トラック１７ｅで例えば厚みの厚いクレジットカード６Ｂ表面のＪＩＳ−IIの磁気トラック１８ｅに対してデータの読取り処理を安定して行うことができる。また、上述したように、カードを第２の磁気ヘッド２５部分を安定搬送可能としたことにより、第２の磁気ヘッド２５でカードに対してデータの書込み処理も行なうことができる。従って、例えば厚みの薄い駐車場のサービス券に対してその表面（上面）のＪＩＳ−IIトラックに対応して設けられた磁気トラックに例えば“１”を連続して記録して廃券処理をしたり、例えば駐車場のコードや有効期限等のデータを記録して発券処理を行なうことができる。
【００４５】
この場合、例えば発券処理は、次のように行なわれる。即ち、図２に示すホッパー４１から搬送面７に供給された未使用カードが矢印Ｂ方向に搬送される際に第２の磁気ヘッド２５で所定のデータが書き込まれる。次に、搬送方向が反転されてカードが矢印Ａで示すホッパー４１側に戻される際に第２の磁気ヘッド２５で上記書き込まれたデータが読取られてデータの書込みが正しく実行されていることを確認する。その後、再び搬送方向が反転され、カードが矢印Ｂ方向に搬送されて発券される。なお、上記データの書込み及び読取り時のカードの搬送方向は、上述した方向に限られず、矢印Ａ，Ｂのいずれかの方向に搬送される際に実行するとよい。
【００４６】
上記実施形態においては、第２の磁気ヘッド２５がコンビネーションヘッドの場合について説明したがこれに限られず、第２の磁気ヘッド２５は、書込部と読取部を個別に設けたものであってもよい。
【図面の簡単な説明】
【００４７】
【図１】本発明によるカード処理装置の実施の形態を示す正面断面図である。
【図２】図１のＸ−Ｘ線断面図である。
【図３】上記カード処理装置に適用される駐車カードの磁気トラックの例を示す平面図である。
【図４】上記カード処理装置に適用されるクレジットカードの磁気トラックを示す平面図であり、（ａ）は裏面を示し、（ｂ）は表面を示す。
【図５】上記カード処理装置における上部ユニットの開閉構造及びその動作を説明する部分断面左側面図である。
【図６】上記カード処理装置における搬送用ベルトから第１及び第２の弾性ローラへの駆動力の伝達機構を示す図であり、（ａ）は平面図、（ｂ）は（ａ）のＹ−Ｙ線断面図である。
【図７】上記カード処理装置におけるロック手段、及びそのロック解除動作を説明する正面図である。
【図８】従来のカード処理装置を示す正面図である。
【符号の説明】
【００４８】
２…本体部
４…上部ユニット
７…搬送面
８…ロック手段
１１…第１の磁気ヘッド
１２…搬送ベルト
２１Ａ，２１Ｂ…弾性ローラ
２２…案内部
２５…第２の磁気ヘッド
２７…弾性部材
２９…ロック部材
３０…ロック用ピン
３１…係止部
３２…基部
３３…係止片
３８…操作部
３６…蜜巻きばね（ばね部材）
３９…回路基板
【図１】
2007233897.tif 000003
【図２】
2007233897.tif 000004
【図３】
2007233897.tif 000005
【図４】
2007233897.tif 000006
【図５】
2007233897.tif 000007
【図６】
2007233897.tif 000008
【図７】
2007233897.tif 000009
【図８】
2007233897.tif 000010